(57)【要約】【課題】値引商品の個数をリアルタイムに報知できる情報処理装置およびプログラムを提供する。【解決手段】実施形態の情報処理装置は、情報入力装置から入力された、値引商品の識別情報と、前記値引商品の個数を示す数情報とを受信する値引情報受信手段と、販売データ処理装置から、売上登録をした値引商品の識別情報と、売上登録した個数を示す売上数情報とを受信する売上情報受信手段と、値引商品ごとの残数を記憶する値引商品記憶手段の情報を、前記値引情報受信手段が受信した情報と、前記売上情報受信手段が受信した情報とにより更新する値引状況管理手段と、前記値引商品記憶手段の情報に基づいて、値引商品を示す情報と現時点での残数とを含む表示データを生成する表示データ生成手段と、前記表示データ生成手段が生成した表示データを表示装置に送信出力する表示データ出力手段と、を備える。【選択図】図１４
2019105987.tif 000002
【特許請求の範囲】
【請求項１】
情報入力装置から入力された、値引商品の識別情報と、前記値引商品の個数を示す数情報とを受信する値引情報受信手段と、
販売データ処理装置から、売上登録をした値引商品の識別情報と、売上登録した個数を示す売上数情報とを受信する売上情報受信手段と、
値引商品ごとの残数を記憶する値引商品記憶手段の情報を、前記値引情報受信手段が受信した情報と、前記売上情報受信手段が受信した情報とにより更新する値引状況管理手段と、
前記値引商品記憶手段の情報に基づいて、値引商品を示す情報と現時点での残数とを含む表示データを生成する表示データ生成手段と、
前記表示データ生成手段が生成した表示データを表示装置に送信出力する表示データ出力手段と、
を備えた情報処理装置。
【請求項２】
前記値引情報受信手段は、前記情報入力装置として値引ラベルを印字するラベルプリンタから、前記値引ラベルを発行した値引商品の前記識別情報と、前記値引ラベルの発行枚数を示す前記数情報とを受信する、請求項１に記載の情報処理装置。
【請求項３】
前記値引情報受信手段は、前記情報入力装置から入力された前記値引商品の値引率に関する情報を更に受信し、
前記売上情報受信手段は、前記販売データ処理装置から、前記値引商品の値引率に関する情報を更に受信し、
前記値引商品記憶手段は、前記値引商品ごとに、値引率に関する情報を更に記憶し、
前記値引状況管理手段は、前記値引情報受信手段が受信した情報と、前記売上情報受信手段が受信した情報とにより、前記値引商品記憶手段を更新し、
前記表示データ生成手段は、前記値引商品記憶手段の情報に基づいて、前記値引率に関する情報を含めて前記表示データを生成する、
請求項１または２に記載の情報処理装置。
【請求項４】
前記表示データ出力手段は、前記表示データを客の携帯端末に送信出力して、当該携帯端末の表示部に、前記値引商品を示す情報と前記現時点での残数とを含む画面を表示させて、
前記携帯端末の画面に対する入力操作を介して、前記値引商品に対する客からの反応を受付ける入力受付手段と、
前記値引商品を示す情報に対応付けて、当該値引商品に対して前記入力受付手段が受付けた前記反応に関する情報を表示する表示データを生成する反応表示手段と、
を更に備える請求項１ないし３のいずれか１つに記載の情報処理装置。
【請求項５】
前記値引商品記憶手段の情報に基づいて、前記残数が所定の閾値となった値引商品について、当該値引商品を示す情報と残数とを通知する音声を出力する音声出力手段を更に備えた、請求項１ないし４のいずれか１つに記載の情報処理装置。
【請求項６】
情報処理装置を制御するコンピュータを、
情報入力装置から入力された、値引商品の識別情報と、前記値引商品の個数を示す数情報とを受信する値引情報受信手段と、
販売データ処理装置から、売上登録をした値引商品の識別情報と、売上登録した個数を示す売上数情報とを受信する売上情報受信手段と、
値引商品ごとの残数を記憶する値引商品記憶手段の情報を、前記値引情報受信手段が受信した情報と、前記売上情報受信手段が受信した情報とにより更新する値引状況管理手段と、
前記値引商品記憶手段の情報に基づいて、値引商品を示す情報と現時点での残数とを含む表示データを生成する表示データ生成手段と、
前記表示データ生成手段が生成した表示データを表示装置に送信出力する表示データ出力手段と、して機能させるためのプログラム。
【発明の詳細な説明】
【技術分野】
【０００１】
本発明の実施形態は、情報処理装置およびプログラムに関する。
【背景技術】
【０００２】
近年、デジタルサイネージを用いてリアルタイムに販促情報を切替えて表示し、販売促進を行う店舗システムに関する技術が開発されている。一例として、売上トランザクションファイルに基づいて、加工時間から設定時間が経過し、商品の残り個数が設定個数以下となると、デジタルサイネージにて当該商品を値引販売する旨を表示する技術が開示されている。
【０００３】
ところで従来、生鮮食品や加工食品等を鮮度や製造日時に応じて値引対象とする値引販売では、店員が製造日時に応じて値引対象とする商品を選び、商品に値引ラベルを貼る等の作業を行っている。即ち、全ての商品を一括して値引対象とするのではなく、製造日時等に応じて値引対象とする一部の商品を選別し、一部の商品に対して値引販売が開始する。このような値引販売に対して、値引商品の個数をリアルタイムに報知できる技術が望まれていた。
【発明の概要】
【発明が解決しようとする課題】
【０００４】
本発明が解決しようとする課題は、値引商品の個数をリアルタイムに報知できる情報処理装置およびプログラムを提供することである。
【課題を解決するための手段】
【０００５】
実施形態の情報処理装置は、情報入力装置から入力された、値引商品の識別情報と、前記値引商品の個数を示す数情報とを受信する値引情報受信手段と、販売データ処理装置から、売上登録をした値引商品の識別情報と、売上登録した個数を示す売上数情報とを受信する売上情報受信手段と、値引商品ごとの残数を記憶する値引商品記憶手段の情報を、前記値引情報受信手段が受信した情報と、前記売上情報受信手段が受信した情報とにより更新する値引状況管理手段と、前記値引商品記憶手段の情報に基づいて、値引商品を示す情報と現時点での残数とを含む表示データを生成する表示データ生成手段と、前記表示データ生成手段が生成した表示データを表示装置に送信出力する表示データ出力手段と、を備える。
【図面の簡単な説明】
【０００６】
【図１】図１は、第１の実施形態にかかる広告管理システムの構成例を示すブロック図である。
【図２】図２は、ラベルプリンタのハードウェア構成例および機能構成例を示すブロック図である。
【図３】図３は、ラベルプリンタが生成するラベル発行データのデータ構成例を示す図である。
【図４】図４は、ラベル発行データのその他のデータ構成例を示す図である。
【図５】図５は、ラベル発行データの具体例を示した図である。
【図６】図６は、ラベル発行データの具体例を示した図である。
【図７】図７は、ＰＯＳ端末のハードウェア構成例および機能構成例を示すブロック図である。
【図８】図８は、ＰＯＳ端末が生成する値引販売データの構成例を示す図である。
【図９】図９は、値引販売データのその他のデータ構成例を示す図である。
【図１０】図１０は、値引管理サーバのハードウェア構成例および機能構成例を示すブロック図である。
【図１１】図１１は、値引管理マスタのデータ構成例を示す図である。
【図１２】図１２は、図１１に示す値引管理マスタのデータを更新した例を示す図である。
【図１３】図１３は、サイネージデバイスのハードウェア構成例および機能構成例を示すブロック図である。
【図１４】図１４は、サイネージ広告画面の構成例を示す図である。
【図１５】図１５は、ラベルプリンタの動作例を示したフローチャートである。
【図１６】図１６は、ＰＯＳ端末の動作例を示したフローチャートである。
【図１７】図１７は、値引管理サーバの動作例を示したフローチャートである。
【図１８】図１８は、第２の実施形態にかかる広告管理システムの構成例を示すブロック図である。
【図１９】図１９は、携帯端末のハードウェア構成例および機能構成例を示すブロック図である。
【図２０】図２０は、アプリ画面例を示した図である。
【図２１】図２１は、第２の実施形態の値引管理マスタのデータ構成例を示した図である。
【図２２】図２２は、客からの反応を反映したサイネージ広告画面の構成例を示す図である。
【発明を実施するための形態】
【０００７】
（第１の実施形態）
図１は、第１の実施形態の広告管理システム１００の構成例を示すブロック図である。図１に示すように、広告管理システム１００は、値引管理サーバ１と、ラベルプリンタ２と、ＰＯＳ端末３と、サイネージデバイス４とを主に備える。
【０００８】
値引管理サーバ１は、店舗のバックヤードに設置され、値引管理マスタ１１１を用いて値引対象となる値引商品の識別情報、値引価格、値引商品の残数（個数）等の情報をリアルタイムに管理する。また、値引管理サーバ１は、値引管理マスタ１１１の情報に基づいて、電子広告（デジタルサイネージ）の画面表示データを生成し、サイネージデバイス４に送信出力する。
【０００９】
値引管理サーバ１には、接続Ｉ／Ｆ（インタフェース）５を介して、価格ラベル、値引ラベル等を印字発行するラベルプリンタ２が接続されている。ラベルプリンタ２は、値引ラベルを発行すると、ラベル発行対象とした値引商品の識別情報と、ラベル発行枚数とを示したラベル発行データを生成して、値引管理サーバ１に送信する。値引管理サーバ１は、受信したラベル発行データに基づいて値引管理マスタ１１１を更新し、値引商品の識別情報と値引販売する個数とを登録する。
【００１０】
値引管理サーバ１には、ＬＡＮ（Local  Area  Network）６等の通信回線を介して、ＰＯＳ端末３（３ａ、３ｂ…）およびサイネージデバイス４（４ａ、４ｂ…）が接続されている。サイネージデバイス４は、店舗内の売り場コーナーに設けられてもよいし、店舗外のショッピングセンターの通路や駅出口の広告スペース等に設けられてもよく、設置場所は特に限定されない。サイネージデバイス４は、値引管理サーバ１から送信された表示データに基づいて、電子広告を表示する。電子広告は、静止画、動画のいずれでもよい。
【００１１】
ＰＯＳ端末３は、販売商品に関する売上データを生成し登録する売上登録処理を行う。また、ＰＯＳ端末３は、値引商品が売り上げ登録されると、当該値引商品の販売個数を含む値引販売データを生成して、値引管理サーバ１に送信する。値引管理サーバ１は、受信した値引販売データに基づいて値引管理マスタ１１１を更新し、販売された値引商品の残数を更新する。
【００１２】
即ち、値引管理サーバ１は、ラベルプリンタ２から受信したラベル発行データが示すラベル発行枚数により値引販売個数を加算する。また、値引管理サーバ１は、ＰＯＳ端末３から受信した値引販売データに含まれる値引商品の販売登録個数により値引販売個数を減算する。このように値引管理サーバ１は、ラベル発行データと値引販売データとに基づいて、値引管理マスタ１１１における値引商品の残数を更新し、管理する。これにより、広告管理システム１００は、売り場に残っている値引商品の残数をリアルタイムに把握することができ、値引商品の残数をデジタルサイネージに即時に反映することができる。
【００１３】
次に、各装置の個々の機能構成について図面を参照して説明する。まず、ラベルプリンタ２について説明する。
【００１４】
図２は、ラベルプリンタ２のハードウェア構成例および機能構成例を示すブロック図である。図２に示すように、ラベルプリンタ２は、ＣＰＵ（Central  Processing  Unit）、ＲＯＭ（Read  Only  Memory）、ＲＡＭ（Random  Access  Memory）等によって構成される制御部２１を備えている。ＲＯＭは、ラベルプリンタ２で実行されるプログラムを格納している。ＲＡＭは、ＣＰＵがＲＯＭから読み出したプログラムを展開するためのワークメモリとして用いられる。制御部２１は、バス２２を介して接続Ｉ／Ｆ（Interface）２４に接続されている。制御部２１は、接続Ｉ／Ｆ２４を介して値引管理サーバ１と接続し、データ通信を行う。また、制御部２１は、バス２２および各種インタフェースを介して、操作部２５、表示部２６、印字ヘッド２７、モータ類２８等の機器と接続されている。制御部２１は、これら各機器の動作を制御する。
【００１５】
次に、ラベルプリンタ２で実行されるプログラムについて説明する。なお、本実施形態のラベルプリンタ２で実行されるプログラムは、ＲＯＭ等に予め組み込まれて提供される。本実施形態のラベルプリンタ２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００１６】
さらに、本実施形態のラベルプリンタ２で実行されるプログラムを、インターネット等のネットワークに接続されたコンピュータ上に格納し、ネットワーク経由でダウンロードさせることにより提供するように構成しても良い。また、本実施形態のラベルプリンタ２で実行されるプログラムをインターネット等のネットワーク経由で提供または配布するように構成しても良い。
【００１７】
図２に示すように、ラベルプリンタ２で実行されるプログラムは、印字データ生成部２１１と、管理データ生成部２１２とを含むモジュール構成となっている。そして、制御部２１のＣＰＵは当該プログラムを実行することで、上記各部の機能を実現する。
【００１８】
印字データ生成部２１１は、価格ラベル、値引ラベル等の印字データを生成する。
【００１９】
管理データ生成部２１２は、値引ラベルの印字発行時に、ラベル発行データを生成して、値引管理サーバ１に送信する。
【００２０】
図３は、ラベルプリンタ２が生成するラベル発行データのデータ構成例を示す図である。図３に例示するように、ラベル発行データは、ラベル発行対象とした値引商品の識別情報として、当該商品の商品コードと、商品名とを含む。また、ラベル発行データは、値引ラベルに印字した値引率（値引価格または値引後の価格でもよい）と、値引ラベルを発行した枚数を示す情報（数情報）を含む。
【００２１】
図４は、ラベル発行データのその他のデータ構成例を示す図である。ラベル発行データは、印字内容に応じて適宜変更可能である。例えば、値引商品であることをコード情報として含めた値引コードを発行した場合には、図４に示すように商品コードに替わって当該値引コードをラベル発行データに含めてもよい。また、値引コードに、値引率等を示す情報を含めた場合には、ラベル発行データに値引率を含めなくともよい。また、ラベル発行データが含む情報により、値引商品、値引率、値引商品の個数を特定できれば、その他のデータ構成としてもよい。
【００２２】
一般に、店内で製造販売するインストア商品（加工食品等）については、製造時刻からの経過時間が所定時間を超えたタイミング等で、値引販売をするケースが多い。このような商品については、同一の商品コード、商品名の値引ラベルを追加発行することがある。ラベルプリンタ２は、発行済みのラベル印字データをラベル管理ファイル（不図示）に保存しておき、当該ラベル管理ファイルから発行済みのラベル印字データを読み出して、これを利用して新たな追加用ラベルの印字データを生成する際に利用してもよい。
【００２３】
また、値引ラベルの追加発行時には、先に値引したが売り場に残っている同じ商品については、より大きな値引率とし、先に貼り付けた値引ラベルの上から後に印字した新たな値引ラベルを貼り付ける場合もある。
【００２４】
図５および図６は、ラベル発行データの具体例を示した図である。値引開始時点で、商品名「Ｂ」を１０個、−１０％で値引販売するとし（１段階目の値引）、当該値引内容を示す値引ラベルを発行したとする。この際に、管理データ生成部２１２は、図５に示すようなラベル発行データを生成し、値引管理サーバ１に送信する。そして、１段階目の値引販売を開始した後、時間が経過し、同一商品について更に２段階目の値引販売に移行するとする。
【００２５】
即ち、１段階目の値引で売れ残っている５個について、値引率を−２０％に引き上げ、製造時刻が新しくまだ値引されていない商品を１０個、新たに１０％引きで値引するとする。このような場合に、管理データ生成部２１２は、図６に示すようなラベル発行データを生成し、値引管理サーバ１に送信する。これにより、値引管理サーバ１は、同一商品であるが、異なる値引率で販売される商品の数をそれぞれ区別して管理することができる。
【００２６】
つまり、ラベルプリンタ２は、同一商品コード、同一商品名であっても、値引率の異なるラベルを２種類発行する場合がある。上述のように、管理データ生成部２１２は、値引率を示す情報を含めてラベル発行データを生成するので、同一商品に対して値引率が多段階に設定された際であっても、値引率ごとにラベル発行枚数、即ち、値引販売個数を値引管理サーバ１に通知することができる。
【００２７】
次に、ＰＯＳ端末３について説明する。
【００２８】
図７は、ＰＯＳ端末３のハードウェア構成例および機能構成例を示すブロック図である。図７に示すように、ＰＯＳ端末３は、ＣＰＵ、ＲＯＭ、ＲＡＭ等によって構成される制御部３１を備えている。制御部３１は、バス３２を介して、通信Ｉ／Ｆ３３に接続されている。制御部３１は、通信Ｉ／Ｆ３３および店舗に設けられたＬＡＮ６等のネットワークを介して、値引管理サーバ１等と接続する。
【００２９】
また、制御部３１は、バス３２およびＩ／Ｏ（Input/Output）機器制御部３５を介して、キーボード３６、スキャナ３７、店員用表示器３８、客用表示器３９、ＨＤＤ（Hard  Disk  Drive）４０等の機器と接続されている。制御部３１は、これら各部の動作を制御する。キーボード３６は、キー操作に対応して入力された情報を制御部３１に出力する。
【００３０】
スキャナ３７は、商品に付されたコードシンボル、価格ラベル、値引ラベル等から情報を読み取って、制御部３１に出力する。店員用表示器３８としては液晶パネル等を用いることができる。店員用表示器３８は商品登録を行うための登録画面や、各種エラーメッセージ等を表示する。客用表示器３９としては、液晶パネルやラインインジケータ等を用いることができる。客用表示器３９は、登録された商品名や商品価格、値引率、合計金額、釣り金額、販促メッセージ等を表示する。
【００３１】
ＨＤＤ４０は、売上データ登録処理、値引販売データの生成処理などの各処理を行うプログラムを記憶している。また、ＨＤＤ４０は、商品名、商品コード、価格等の商品情報を対応付けて設定した商品マスタ４０１を格納している。
【００３２】
ＰＯＳ端末３で実行されるプログラムは、図７に示すように、登録部３１１、値引販売データ生成部３１２を含むモジュール構成となっている。そして、制御部３１のＣＰＵは当該プログラムをＲＡＭに展開して実行することで、上記各部の機能を実現する。
【００３３】
登録部３１１は、キーボード３６またはスキャナ３７を介して受付けた情報に基づいて、売上商品の登録処理を行う。例えば、登録部３１１は、キーボード３６またはスキャナ３７から商品コードを受け取ると、当該商品コードに対応する商品情報を商品マスタ４０１から読み込む。また、登録部３１１は、キーボード３６またはスキャナ３７から値引率の入力を受付けると、直前または直後に読み込まれた商品に当該値引率を適用して値引き後の価格を登録する。
【００３４】
また、登録部３１１は、キーボード３６において現計キーが操作されると、その取引の合計金額を計算し、預り金額の入力に応じて釣り金額を計算する。登録部３１１は、一取引において登録した各商品の商品情報と、値引処理に関する情報、合計金額、預り金額、釣り金額等の会計情報とを含む売上データを生成し、売上ファイル（不図示）に登録する。
【００３５】
値引販売データ生成部３１２は、売上データに値引商品の登録データが含まれている場合に、当該データに基づいて、値引販売データを生成し、値引管理サーバ１に送信する。尚、値引販売データの生成は、現計キーが操作されて一取引の内容が確定した後に行う。
【００３６】
図８は、ＰＯＳ端末３が生成する値引販売データのデータ構成例を示す図である。図８に例示するように、値引販売データは、売上登録された値引商品の識別情報として、当該商品の商品コードと、商品名とを含む。また、値引販売データは、売上登録した値引率（値引価格または値引後の価格でもよい）と、売上個数を示す情報（数情報）を含む。
【００３７】
図９は、値引販売データのその他のデータ構成例を示す図である。値引販売データは、値引販売した商品と、登録時の値引価格、売上個数とが特定できれば、その他のデータ構成としてもよい。例えば、値引コードに、値引率等を示す情報を含めた場合には、図９に示すように、値引販売データに値引率を別途含めなくともよい。
【００３８】
次に、値引管理サーバ１の機能構成について説明する。
【００３９】
図１０は、値引管理サーバ１のハードウェア構成例および機能構成例を示すブロック図である。値引管理サーバ１は、ＣＰＵ、ＲＯＭ、ＲＡＭ等で構成されるコンピュータ構成の制御部１０を備える。制御部１０には、バス１２により通信Ｉ／Ｆ１３１と接続Ｉ／Ｆ１３２とが接続されている。制御部１０は、通信Ｉ／Ｆ１３１およびＬＡＮ６を介して、ＰＯＳ端末３、サイネージデバイス４等との間でデータ通信を行う。また、制御部１０は、接続Ｉ／Ｆ１３２および接続Ｉ／Ｆ５を介して、ラベルプリンタ２との間でデータ通信を行う。
【００４０】
また、制御部１０には、バス１２およびＩ／Ｏ機器制御部１４を介して、キーボード１５、表示器１６、ＨＤＤ１１等が接続されている。ＨＤＤ１１は、売上データファイル１１０、値引管理マスタ１１１等を格納している。
【００４１】
売上データファイル１１０は、各ＰＯＳ端末３から受信した売上データを格納するデータファイルである。
【００４２】
値引管理マスタ１１１は、現時点での値引商品と、当該値引商品の現時点での値引価格、および、当該値引商品の現時点での販売個数、すなわち、売り場に残っている値引商品の残数とを管理するためのマスタファイルである。値引管理マスタ１１１は、値引商品ごとの値引価格と残数とを記憶する値引商品記憶手段として機能する。
【００４３】
図１１は、値引管理マスタ１１１のデータ構成例を示す図である。図１１に示すように、値引管理マスタ１１１には、値引商品の識別情報である商品コードに対応付けて、商品名と、現時点での値引率と、現時点での個数（即ち、残数）とが設定される。尚、値引率ではなく、割引率または値引価格、値引き後の販売価格等を設定してもよい。
【００４４】
図１０に戻って、値引管理サーバ１の制御部１０が実行する本実施形態のプログラムについて説明する。なお、本実施形態の値引管理サーバ１で実行されるプログラムは、ＲＯＭ等に予め組み込まれて提供される。本実施形態の値引管理サーバ１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４５】
さらに、本実施形態の値引管理サーバ１で実行されるプログラムを、インターネット等のネットワークに接続されたコンピュータ上に格納し、ネットワーク経由でダウンロードさせることにより提供するように構成しても良い。また、本実施形態の値引管理サーバ１で実行されるプログラムをインターネット等のネットワーク経由で提供または配布するように構成しても良い。
【００４６】
本実施形態の値引管理サーバ１で実行されるプログラムは、図１０に示すように、データ送受信部１０１、値引データ管理部１０２、表示データ生成部１０３を含むモジュール構成となっている。実際のハードウェアとしてはＣＰＵが上記記憶媒体（ＲＯＭ）から本実施形態のプログラムを読み出して実行することにより上記各部が主記憶装置上にロードされる。そして、ＣＰＵが主記憶装置上に上記各部を生成する。次に、各部の機能について概略的に説明する。
【００４７】
データ送受信部１０１（値引情報受信手段）は、情報入力装置から入力された、値引商品の識別情報と、値引率または値引価格に関する情報と、前記値引商品の個数を示す数情報とを受信する。ここで、情報入力装置としては、例えばラベルプリンタ２を適用できる。即ち、データ送受信部１０１は、ラベルプリンタ２からラベル発行データを受信する。ラベル発行データには、上述のように、値引商品の識別情報と、値引ラベルに印字した値引価格に関する情報（値引情報）とが含まれる。また、ラベル発行データには、上述のように、値引ラベルの発行枚数、すなわち、値引するとした商品の個数を示す情報が含まれている。
【００４８】
尚、ここでは情報入力装置としてラベルプリンタ２を適用する例を示すが、情報入力装置はこれに限定されない。情報入力元の装置として、店舗サーバ等の情報入力装置から値引商品の識別情報と、値引商品の個数を入力してもよい。あるいは、情報入力装置として、棚卸端末等の携帯端末を用いて、店頭に並べた値引商品の識別情報と、個数あるいは残数を入力してもよい。
【００４９】
また、データ送受信部１０１（売上情報受信手段）は、ＰＯＳ端末３（販売データ処理装置）から、値引販売データを受信する。値引販売データは、上述したように、ＰＯＳ端末３が売上登録をした値引商品の識別情報と、値引販売として売上登録した個数を示す売上数情報とを含んでいる。
【００５０】
尚、ここでは、ＰＯＳ端末３が値引販売データを生成して値引管理サーバ１に送信し、値引販売に関するデータを選り分けて値引管理サーバ１に送信する例を示したが、値引販売に関するデータの選別は、値引管理サーバ１側で行ってもよい。即ち、ＰＯＳ端末３は、値引販売データを生成せず、売上登録時に売上データを値引管理サーバ１に送信する。そして、値引管理サーバ１が、売上データにおいて、値引販売を示す情報（例えば、値引コードや、−１０％等の値引を示す情報、値引を示したテキストデータ等）に基づいて、値引販売に関するデータを抽出する。値引管理サーバ１は、このように自装置で抽出したデータにより、値引管理マスタ１１１を更新してもよい。
【００５１】
値引データ管理部１０２（値引状況管理手段）は、値引管理マスタ１１１の情報を、データ送受信部１０１が受信した各種情報により更新する。
【００５２】
即ち、値引データ管理部１０２は、ラベルプリンタ２から受信したラベル発行データにより、値引販売する商品の識別情報と、値引率（値引価格）と、値引販売するとした個数とを、値引管理マスタ１１１に登録する。
【００５３】
また、値引データ管理部１０２は、ＰＯＳ端末３から受信した値引販売データにより、値引商品の販売個数を、値引管理マスタ１１１に記憶されている同商品の残数から減じて、値引管理マスタ１１１が記憶する値引商品の残数を更新する。
【００５４】
ここで、値引管理マスタ１１１のデータを更新する例について、図５、図１１、図１２を用いて説明する。図１２は、図１１に示す値引管理マスタ１１１のデータを更新した例を示す図である。
【００５５】
まず、データ送受信部１０１が、図５に示すラベル発行データをラベルプリンタ２から受信すると、値引データ管理部１０２は、図１１に示すように、受信したラベル発行データにより値引管理マスタ１１１を更新する。即ち、商品コード「41104810902」、商品名「Ｂ」の商品を、値引率−１０％で１０個値引販売することが、値引管理マスタ１１１に登録される。これにより、値引管理マスタ１１１は図１１に示すデータ構成に更新される。
【００５６】
次に、ＰＯＳ端末３において、商品コード「41104810901」、商品名「Ａ」、値引率−５０％の商品が、合計９個売上登録され、商品コード「41104810902」、商品名「Ｂ」、値引率−１０％の商品が、合計５個売上登録されたとする。ＰＯＳ端末３の値引販売データ生成部３１２は、各商品の売上登録時に、各値引商品に関する値引販売データを生成し、値引管理サーバ１に送信する。値引管理サーバ１のデータ送受信部１０１がＰＯＳ端末３からそれぞれの値引販売データを受信すると、値引データ管理部１０２は、受信した値引販売データにより、値引管理マスタ１１１を更新する（更新内容１）。
【００５７】
また、商品「Ｂ」に対して２段階の値引が開始されると、ラベルプリンタ２は上述のように商品「Ｂ」に関する２種類のラベル発行データを送信する。即ち、先に−１０％で値引販売しており残数が５個である商品「Ｂ」は、更に値引して−２０％で販売し、今度新たに１０個分の商品「Ｂ」に対して、−１０％での値引販売を開始するとする。この際に、ラベルプリンタ２は、図６で示したようなラベル発行データを値引管理サーバ１に送信する。値引管理サーバ１のデータ送受信部１０１が当該ラベル発行データを受信すると、値引データ管理部１０２は、受信したラベル発行データにより、値引管理マスタ１１１を更新する（更新内容２）。
【００５８】
更新内容１、２を反映した値引管理マスタ１１１を、図１２に示す。以上の例で示したように、値引管理サーバ１は、値引販売を開始した個数、または、値引販売に追加した個数を情報入力装置（ラベルプリンタ２）から受信し、販売された個数をＰＯＳ端末３から受信し、これにより値引商品の残数をリアルタイムに計上することができる。即ち、値引管理サーバ１は、値引管理マスタ１１１を用いて、値引商品が現時点で売り場にいくつ残っているかをリアルタイムに把握することができる。
【００５９】
表示データ生成部１０３（表示データ生成手段、表示データ出力手段）は、値引管理マスタ１１１の情報に基づいて、値引商品を示す情報と、現時点での値引率または値引価格と、現時点での残数とを含む表示データを生成する。また、表示データ生成部１０３は、生成した電子広告の表示データを、サイネージデバイス４等の表示装置に出力する。尚、電子広告の表示データには、値引管理マスタ１１１で管理されている値引商品すべての広告を順次出力するよう構成してもよい。あるいは、表示データ生成部１０３は、値引商品の中からサイネージデバイス４に表示する商品を選択した上で、電子広告の表示データを生成してもよい。
【００６０】
次に、サイネージデバイス４の機能構成について説明する。
【００６１】
図１３は、サイネージデバイス４のハードウェア構成例および機能構成例を示すブロック図である。図１３に示すように、サイネージデバイス４は、ＣＰＵ、ＲＯＭ、ＲＡＭ等によって構成される制御部４１を備えている。ＲＯＭは、サイネージデバイス４で実行されるプログラムを格納している。ＲＡＭは、ＣＰＵがＲＯＭまたはメモリ４５から読み出したプログラムを展開するためのワークメモリとして用いられる。制御部４１は、バス４２を介して通信Ｉ／Ｆ４４に接続されている。制御部４１は、通信Ｉ／Ｆ４４およびＬＡＮ６を介して値引管理サーバ１と接続し、データ通信を行う。また、制御部４１は、バス４２および各種インタフェースを介して、表示装置４３、メモリ４５等の機器と接続されている。メモリ４５は、電子広告の表示動作を制御するプログラム４５１を格納している。制御部４１は、各機器における入出力動作を制御する。
【００６２】
次に、サイネージデバイス４で実行されるプログラム４５１について説明する。なお、プログラム４５１は、メモリ４５に予め組み込まれて提供される。プログラム４５１は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６３】
さらに、プログラム４５１を、インターネット等のネットワークに接続されたコンピュータ上に格納し、ネットワーク経由でダウンロードさせることにより提供するように構成しても良い。また、プログラム４５１をインターネット等のネットワーク経由で提供または配布するように構成しても良い。
【００６４】
プログラム４５１は、データ受信部４１１と、表示制御部４１２とを含むモジュール構成となっている。制御部４１のＣＰＵはプログラム４５１を実行することで、制御部４１の主記憶領域上に図１３に示すように、データ受信部４１１と表示制御部４１２とを展開する。
【００６５】
データ受信部４１１は、値引管理サーバ１から送信された電子広告の表示データを受信する。
【００６６】
表示制御部４１２は、データ受信部４１１が受信した表示データを、表示装置４３に出力し、表示装置４３に電子広告を表示させる。
【００６７】
図１４は、サイネージ広告画面の構成例を示す図である。表示制御部４１２は、値引管理サーバ１から受信した表示データに基づいて、表示装置４３に値引商品に関する情報を含む電子広告画面を表示出力する。図１４に示すように、電子広告画面には、商品名、値引率、値引商品の残数などが表示される。当該表示により、客あるいは店員は、売り場から離れた場所でも、値引商品に関する情報および値引商品の残数をリアルタイムに知ることができる。従って、店舗に近い場所に設置されたサイネージデバイス４や、売り場に設置されたサイネージデバイス４を閲覧した客に、値引商品に関する情報をリアルタイムで報知し、購買意欲を誘起できる。
【００６８】
次に、広告管理システム１００の動作例について説明する。
【００６９】
図１５は、ラベルプリンタ２の動作例を示したフローチャートである。ラベルプリンタ２は、値引ラベルの発行があれば（ステップＳ１：Ｙｅｓ）、上述したようにラベル発行データを生成する（ステップＳ２）。そして、生成したラベル発行データを値引管理サーバ１に送信し（ステップＳ３）、ステップＳ１に戻る。ステップＳ１：Ｎｏの場合にも、ステップＳ１に戻ってラベル発行を待つ。
【００７０】
図１６は、ＰＯＳ端末３の動作例を示したフローチャートである。ＰＯＳ端末３は、一取引の売上登録が終了すると（ステップＳ１１：Ｙｅｓ）、売上データを生成する。ＰＯＳ端末３は売上データに、値引商品のデータがあれば（ステップＳ１２：Ｙｅｓ）、値引販売データを生成する（ステップＳ１３）。そして、生成した値引販売データを値引管理サーバ１に送信し（ステップＳ１４）、ステップＳ１１に戻る。ステップＳ１１：Ｎｏの場合およびステップＳ１２：Ｎｏの場合には、ステップＳ１１に戻る。
【００７１】
図１７は、値引管理サーバ１の動作例を示したフローチャートである。ラベルプリンタ２からラベル発行データを受信すると（ステップＳ２１：Ｙｅｓ）、値引管理サーバ１は、値引管理マスタ１１１を更新する（ステップＳ２２）。ステップＳ２２の後、値引管理サーバ１は、更新された値引管理マスタ１１１に基づいて、電子広告画面の表示データを生成する（ステップＳ２３）。そして、値引管理サーバ１は、生成した表示データをサイネージデバイス４に出力する（ステップＳ２４）。
【００７２】
ラベル発行データの受信がなければ（ステップＳ２１：Ｎｏ）、ステップＳ２５に移行する。値引管理サーバ１は、ＰＯＳ端末３から値引販売データを受信すると（ステップＳ２５：Ｙｅｓ）、受信したデータを用いて値引管理マスタ１１１を更新する（ステップＳ２６）。そして、値引管理サーバ１は、更新された値引管理マスタ１１１に基づいて、電子広告画面の表示データを生成する（ステップＳ２７）。そして、値引管理サーバ１は、生成した表示データをサイネージデバイス４に出力する（ステップＳ２８）。尚、ステップＳ２５：Ｎｏであれば、ステップＳ２１に移行する。
【００７３】
（値引広告画面の変形例）
尚、値引管理サーバ１は電子広告画面の表示データを生成する際に、値引商品を残数の少ない順に並べて表示してもよい。また、同一商品に対して−２０％および−１０％などと、異なる値引率が複数設定された場合にも、同一商品についてはその値引情報をまとめ、並べて表示とするとよい。あるいは、同一商品について上述のように異なる値引率が設定されている際には、最も値引率が大きいケース（上述の例では−２０％のケース）に限って、その残数を表示してもよい。また、残数が所定値を下回った場合に限って、残数を表示してもよい。
【００７４】
（値引出力先の変形例）
値引商品に関する情報を出力する方法としては、上述した電子広告への出力には限定されない。その他の例として、値引管理サーバ１は、値引商品に関する情報を音声出力してもよいし、サイネージデバイス４への表示出力と音声出力とを組み合わせて実行してもよい。一例として、値引管理サーバ１は、値引商品の残数が所定の閾値以下となった値引商品について、当該値引商品を示す情報と残数とを通知する音声データを生成もしくは選択し、店内放送（店外、店頭でもよい）への自動音声出力を実行してもよい。
【００７５】
また別の出力先として、値引商品に関する情報を、リアルタイムにインターネットのＷｅｂページにアップロードしてもよいし、当該情報をリアルタイムに電子メールで配信してもよい。また、会員の携帯端末にインストールされたアプリケーションソフト（所謂アプリ）において、値引商品に関する情報に更新があった際に通知を行ってもよい。
【００７６】
また、表示データの出力先として、ショッピングカートに配設した表示装置を適用してもよい。
【００７７】
（第２の実施形態）
第２の実施形態では、電子広告を携帯端末に出力した際に、携帯端末にインストールしたアプリを介して、電子広告に対する客の反応を受付けて、客からの反応をサイネージデバイス４に反映する。
【００７８】
図１８は、第２の実施形態にかかる広告管理システム２１００の構成例を示すブロック図である。広告管理システム２１００は、値引管理サーバ１にインターネット等の公衆回線８を介して携帯端末７が接続する構成とする。尚、広告管理システム２１００は、単独の値引管理サーバ１により本実施形態にかかるサービスを提供する形態に限定されず、複数のサーバ装置が協働して本実施形態にかかる機能を実現してもよい。あるいは、ＳａａＳ（Software  as  a  Service）等によりクラウドベースのアプリケーションをインターネット経由で提供する形態としてもよい。
【００７９】
図１９は、携帯端末７のハードウェア構成例および機能構成例を示すブロック図である。図１９に示すように、携帯端末７は、ＣＰＵ、ＲＯＭ、ＲＡＭ等によって構成される制御部７１を備えている。ＲＯＭは、携帯端末７で実行されるプログラムを格納している。ＲＡＭは、ＣＰＵがＲＯＭまたはメモリ７６から読み出したプログラム（店舗アプリ７６１など）を展開するためのワークメモリとして用いられる。制御部７１は、バス７２を介して通信Ｉ／Ｆ７３に接続されている。制御部７１は、通信Ｉ／Ｆ７３およびインターネット等の公衆回線８を介して値引管理サーバ１と接続し、データ通信を行う。また、制御部７１は、バス７２および各種インタフェースを介して、表示装置７４、操作部７５、メモリ７６等の機器と接続されている。操作部７５としては、表示装置７４上に設けられたタッチパネル等や、ホームボタン（決定ボタン）等の入力装置が用いられる。メモリ７６は、店舗アプリ７６１を格納している。
【００８０】
次に、携帯端末７で実行される店舗アプリ７６１について説明する。なお、店舗アプリ７６１は、メモリ７６に予め組み込まれて提供される。店舗アプリ７６１を、インターネット等のネットワークに接続されたコンピュータ上に格納し、ネットワーク経由でダウンロードさせることにより提供するように構成しても良い。また、店舗アプリ７６１をインターネット等のネットワーク経由で提供または配布するように構成しても良い。
【００８１】
店舗アプリ７６１は、データ通信部７１１と、入力受付部７１２と、表示制御部７１３とを含むモジュール構成を有している。制御部７１のＣＰＵは、店舗アプリ７６１を実行することで、制御部７１の主記憶領域上に図１９に示すように、データ通信部７１１、入力受付部７１２、表示制御部７１３を展開する。
【００８２】
データ通信部７１１は、値引管理サーバ１との間でデータ通信を行う。あるいは上述のようにＳａａＳで店舗アプリ７６１に係る機能が提供される場合には、ＳａａＳが提供するソフトウェアを適宜呼び出してダウンロードする。また、データ通信部７１１は、入力受付部７１２が受付けた操作入力や入力データを、インターネット等の公衆回線８を介して値引管理サーバ１に送信する。
【００８３】
入力受付部７１２は、操作部７５に対する入力操作に基づいて、値引商品（値引販売）に対する客の反応に関する情報を受付ける。入力受付部７１２は、マイク等のインタフェースを介して音声入力を受付けてもよい。また、入力受付部７１２は、携帯端末７が搭載するカメラから、値引商品に関する撮像画像の入力を受付けてもよい。
【００８４】
表示制御部７１３は、表示装置７４に対する表示動作を制御する。また、表示制御部７１３は、値引管理サーバ１が生成した電子広告の表示データを、店舗アプリ７６１の画面上に表示する。
【００８５】
第２の実施形態の値引管理サーバ１において、データ送信部１０１（入力受付手段）は、携帯端末７のデータ通信部７１１から送信された値引商品（値引販売）に対する客の反応に関する情報を受付ける。また、値引管理サーバ１の表示データ生成部１０３（反応表示手段）は、値引商品名など値引商品を示す情報に対応付けて、当該値引商品（または値引販売）に対する客の反応に関する情報を含めて、アプリ画面および電子広告の表示データを更新する。これにより、アプリ画面および電子広告に客からの反応が表示される。
【００８６】
図２０は、アプリ画面例を示した図である。表示制御部７１３は、データ通信部７１１が受信した表示データに基づいて、図２０に示すようなアプリ画面を、表示装置７４に出力する。図２０に示すように、店舗アプリのアプリ画面には、リアルタイムの値引情報として、上述したサイネージデバイス４の電子広告と同様に、値引商品の商品名、現時点での値引率を示す情報、そして、現時点での値引商品の残数が表示される。また、図２０に示すように、アプリ画面には、値引商品に対する客の反応を受付ける操作ボタン７４１（７４１ａ、７４１ｂ）が設けられる。
【００８７】
ユーザが操作ボタン７４１をタッチ操作すると、入力受付部７１２は操作部７５への入力操作を受付けて、タッチされた操作ボタン７４１に対応する情報を受付ける。当該情報には、商品を特定する商品識別情報（商品コード、商品名など）、値引率、「ほしい」のアクションを１回受付けたことを示す情報等が含まれる。データ通信部７１１は、受付けた情報を通信Ｉ／Ｆ７３および公衆回線８を介して値引管理サーバ１に送信する。値引管理サーバ１のデータ送受信部１０１（図１０参照）が当該情報を受信すると、値引データ管理部１０２（図１０参照）は、受信した情報により値引管理マスタ１１１を更新する。
【００８８】
図２１は、第２の実施形態の値引管理マスタ２１１１のデータ構成例を示した図である。値引管理マスタ２１１１には、客からの反応に関する情報として、「ほしい」の操作ボタン７４１（図２０参照）が操作されたのべ回数である反応回数が格納される。
【００８９】
値引管理サーバ１の表示データ生成部１０３（図１０参照）は、更新された値引管理マスタ１１１に基づいて、アプリ画面の表示データ、サイネージデバイス４の電子広告画面の表示データを生成する。アプリ画面の表示更新としては、図２０に例示するように、値引商品名に並べて、当該値引商品に対する客からの反応回数をカッコ書きで示しているので、当該反応回数を更新すればよい。サイネージデバイス４の表示データについても、同様に値引商品への反応回数を更新すればよい。
【００９０】
図２２は、客からの反応を反映したサイネージ広告画面の構成例を示す図である。値引管理サーバ１の表示データ生成部１０３は、図１４にて例示した電子広告画面の表示データに、値引管理マスタ１１１に登録された客からの反応回数を示すマーク４３１（４３１ａ、４３１ｂ）を含めた表示データを生成し、サイネージデバイス４に送信する。サイネージデバイス４の表示制御部４１２は、受信した表示データにより表示装置４３に図２２に示すような電子広告画面を表示出力する。
【００９１】
尚、図２２では、客からの反応として、値引商品（値引販売）に対する反応回数、即ち、反応を示した客ののべ人数を電子広告に反映するとしたが、客からの反応としてその他の情報を電子広告上に表示してもよい。一例として、アプリ画面から値引商品（値引販売）に対する客のコメントを受付けるように構成し、値引管理サーバ１は当該コメントを受信次第、受信したコメントを電子広告に出力してもよい。
【００９２】
あるいは、上述のように入力受付部７１２がカメラから取り込んだ、値引商品の撮像画像、値引販売に関する撮像画像、売り場に関する撮像画像を、値引管理サーバ１にリアルタイムにアップロードし、電子広告に掲載してもよい。
【００９３】
即ち、第２の実施形態では、値引管理サーバ１の表示制御部７１３が、値引商品に対して入力受付部７１２が受付けた反応に関する情報を表示する表示データを生成する。これにより、客が店舗アプリ７６１の画面から値引商品に対する関心を示すアクションを起こすと、客の反応が即座に電子広告に反映されて、図２２に示すように電子広告画面に表示される。従って、値引商品に対する関心が多く集まっていれば、客の購買意欲も掻き立てられることとなる。また、店舗側にとっても、値引商品の数を追加するなどして値引販売をコントロールしやすくなる。このように、第２の実施形態によれば、双方向のコミュニケーションを電子広告に反映することができ、値引販売の促進を図ることができる。
【００９４】
尚、図１８では、サイネージデバイス４を第１の実施形態と同様に、店舗のＬＡＮ６により値引管理サーバ１と接続する構成としたが、実施形態はこれに限定されない。サイネージデバイス４を公衆回線８に直接接続する形態とし、値引管理サーバ１が公衆回線８を介して電子広告の表示データをサイネージデバイス４に送信してもよい。
【００９５】
また、上述では、客が店舗アプリ７６１から「ほしい」の操作ボタン７４１（図２０参照）を操作した際に、値引管理サーバ１が、客からの反応に関する情報として、のべ回数である反応回数をカウントするとしたが、値引管理サーバ１は、客からの反応に関する情報として他の情報を収集、管理し、電子広告の表示データに反映してもよい。例えば、店舗アプリ７６１のアプリ画面において、客が購入したいと思った個数を入力する数量ボタン等を設けておいてもよい。そして、値引管理サーバ１は、客が当該値引商品を購入したいと思っているのべ個数をカウントして、電子広告に表示出力してもよい。
【００９６】
また、売り場にカメラを設置して値引商品の売り場の様子を撮像し、値引管理サーバ１が電子広告にライブ映像等の撮像画像を組み込んで表示データを生成し、サイネージデバイス４に出力してもよい。
【００９７】
以上説明した通り、上記実施形態によれば、値引商品の個数をリアルタイムに報知できる情報処理装置およびプログラムを提供することができる。
【００９８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９９】
１  値引管理サーバ
２  ラベルプリンタ
３  ＰＯＳ端末
４  サイネージデバイス
１００  広告管理システム
１１１  値引管理マスタ
【先行技術文献】
【特許文献】
【０１００】
【特許文献１】特許第５７０３２６０号公報
【図１】
2019105987.tif 000003
【図２】
2019105987.tif 000004
【図３】
2019105987.tif 000005
【図４】
2019105987.tif 000006
【図５】
2019105987.tif 000007
【図６】
2019105987.tif 000008
【図７】
2019105987.tif 000009
【図８】
2019105987.tif 000010
【図９】
2019105987.tif 000011
【図１０】
2019105987.tif 000012
【図１１】
2019105987.tif 000013
【図１２】
2019105987.tif 000014
【図１３】
2019105987.tif 000015
【図１４】
2019105987.tif 000016
【図１５】
2019105987.tif 000017
【図１６】
2019105987.tif 000018
【図１７】
2019105987.tif 000019
【図１８】
2019105987.tif 000020
【図１９】
2019105987.tif 000021
【図２０】
2019105987.tif 000022
【図２１】
2019105987.tif 000023
【図２２】
2019105987.tif 000024